(57)【要約】【課題】仕切板の組合せ作業がしやすく、折り畳むことができる構成でありながら、仕切板の脱落防止効果が高い仕切体を提供する。【解決手段】仕切板１に、端縁Ｓ１からＳ２に向かう、板厚Ｔ２よりも幅が広い切抜き部３、切抜き部３に繋がり端縁Ｓ２に向かって第１長さだけ延びる切込み部４、切込み部４に繋がり切込み部４の端縁Ｓ２側から長手方向へ行くに従って端縁Ｓ１側へ傾斜する斜辺を有し、切込み部４の端縁Ｓ２側から第２長さだけ端縁Ｓ２に向かって長く板厚Ｔ２よりも幅が広い抜止め孔５からなる第１連結部１Ａを並設し、仕切板２に、端縁Ｓ１からＳ２に向かう、板厚Ｔ１よりも幅が広い切抜き部６、切抜き部６の端縁Ｓ２側から前記第２長さよりも短い距離だけ端縁Ｓ２側へ離れた位置から端縁Ｓ２に向かって延び、前記第１長さよりも長さが長く板厚Ｔ１よりも幅が広い抜き孔７からなる第２連結部２Ａを並設した。【選択図】図３
0003171393.tif 000002
【実用新案登録請求の範囲】
【請求項１】
輸送や収納に使用される箱体の内部を収容品ごとに仕切るために縦仕切板及び横仕切板を井桁状に組み合わせて構成される仕切体であって、
前記縦仕切板及び横仕切板の一方に、短手方向一端縁から他端縁に向かって延びる、前記縦仕切板及び横仕切板の他方の板厚よりも長手方向の間隔が広い第１切抜き部と、該第１切抜き部の短手方向他端縁側に繋がってさらに短手方向他端縁に向かって第１長さだけ延びる切込み部と、該切込み部に繋がり、前記切込み部の短手方向他端縁側から長手方向へ離間するにしたがって短手方向一端縁側へ傾斜する一対の斜辺及びこれら斜辺に繋がって前記切込み部の短手方向他端縁側よりもさらに短手方向他端縁に向かって延びて繋がる連結辺により囲まれた、前記切込み部の短手方向他端縁側から第２長さだけ短手方向他端縁に向かって長く、前記縦仕切板及び横仕切板の他方の板厚よりも長手方向の間隔が広い抜止め孔からなる第１連結部を長手方向に所定等間隔ごとに並設し、
前記縦仕切板及び横仕切板の他方に、短手方向一端縁から他端縁に向かって延びる、前記縦仕切板及び横仕切板の一方の板厚よりも長手方向の間隔が広い第２切抜き部と、該第２切抜き部の短手方向他端縁側から前記第２長さよりも小さい距離だけ短手方向他端縁に向かって離間した位置からさらに短手方向他端縁に向かって延び、前記第１長さよりも短手方向長さが長く、前記縦仕切板及び横仕切板の一方の板厚よりも長手方向の間隔が広い抜き孔からなる第２連結部を長手方向に所定等間隔ごとに並設してなり、
前記縦仕切板及び横仕切板を井桁状に組み合わせると、前記縦仕切板及び横仕切板の一方の前記抜止め孔に前記縦仕切板及び横仕切板の他方の前記第２切抜き部と前記抜き孔との間の部分が入り、前記縦仕切板及び横仕切板の一方の前記切込み部が前記縦仕切板及び横仕切板の他方の前記抜き孔に入った状態となって、前記第１連結部及び第２連結部がそれぞれ連結されることを特徴とする仕切体。
【請求項２】
輸送や収納に使用される箱体の内部を収容品ごとに仕切るために縦仕切板及び横仕切板を井桁状に組み合わせて構成される仕切体であって、
前記縦仕切板及び横仕切板の一方に、短手方向一端縁から他端縁に向かって延びる、前記縦仕切板及び横仕切板の他方の板厚よりも長手方向の間隔が広い第１切抜き部と、該第１切抜き部の短手方向他端縁側から第１長さだけ短手方向他端縁に向かって離間した位置から長手方向へ離間するにしたがって短手方向一端縁側へ傾斜する一対の斜辺及びこれら斜辺に繋がって前記離間した位置よりもさらに短手方向他端縁に向かって延びて繋がる連結辺により囲まれた、前記離間した位置から第２長さだけ短手方向他端縁に向かって長く、前記縦仕切板及び横仕切板の他方の板厚よりも長手方向の間隔が広い抜止め孔からなる第１連結部を長手方向に所定等間隔ごとに並設し、
前記縦仕切板及び横仕切板の他方に、短手方向一端縁から他端縁に向かって延びる、前記縦仕切板及び横仕切板の一方の板厚よりも長手方向の間隔が広い第２切抜き部と、該第２切抜き部の短手方向他端縁側に繋がってさらに短手方向他端縁に向かって前記第２長さよりも小さい距離だけ延びる切込み部と、該切込み部に繋がり、前記切込み部の短手方向他端縁側からからさらに短手方向他端縁に向かって延び、前記第１長さよりも短手方向長さが長く、前記縦仕切板及び横仕切板の一方の板厚よりも長手方向の間隔が広い抜き孔からなる第２連結部を長手方向に所定等間隔ごとに並設してなり、
前記縦仕切板及び横仕切板を井桁状に組み合わせると、前記縦仕切板及び横仕切板の一方の前記抜止め孔に前記縦仕切板及び横仕切板の他方の前記切込み部が入り、前記縦仕切板及び横仕切板の一方の前記第１切抜き部と前記抜止め孔との間の部分が前記縦仕切板及び横仕切板の他方の前記抜き孔に入った状態となって、前記第１連結部及び第２連結部がそれぞれ連結されることを特徴とする仕切体。
【請求項３】
輸送や収納に使用される箱体の内部を収容品ごとに仕切るために縦仕切板及び横仕切板を井桁状に組み合わせて構成される仕切体であって、
前記縦仕切板及び横仕切板に、短手方向一端縁から他端縁に向かって延びる、前記縦仕切板及び横仕切板の板厚よりも長手方向の間隔が広い切抜き部と、該切抜き部の短手方向他端縁側に繋がってさらに短手方向他端縁に向かって延びる切込み部と、該切込み部に繋がり、前記切込み部の短手方向他端縁側から長手方向へ離間するにしたがって短手方向一端縁側へ傾斜する一対の斜辺及びこれら斜辺に繋がって前記切込み部の短手方向他端縁側よりもさらに短手方向他端縁に向かって延びて繋がる連結辺により囲まれた、前記切込み部の短手方向他端縁側から短手方向他端縁に向かう長さが前記切込み部の長さよりも長く、前記縦仕切板及び横仕切板の板厚よりも長手方向の間隔が広い抜止め孔からなる連結部を長手方向に所定等間隔ごとに並設してなり、
前記縦仕切板及び横仕切板を井桁状に組み合わせると、前記縦仕切板の前記抜止め孔に前記横仕切板の前記切込み部が入るとともに、前記横仕切板の前記抜止め孔に前記縦仕切板の前記切込み部が入った状態となって、前記縦仕切板の前記連結部及び前記横仕切板の前記連結部がそれぞれ連結されることを特徴とする仕切体。
【請求項４】
前記切込み部を波形にしてなる請求項１〜３の何れか１項に記載の仕切体。
【考案の詳細な説明】
【技術分野】
【０００１】
本考案は、輸送や収納に使用される箱体の内部を収容品ごとに仕切るために、仕切板を井桁状に組み合わせて構成される仕切体に関わり、さらに詳しくは、箱体へ装入する際や箱体から取り出す際に仕切板の脱落を防止することができる仕切体の改良に関する。
【背景技術】
【０００２】
輸送や収納に使用される箱体の内部を収容品ごとに仕切るために仕切板を井桁状に組み合わせて構成される仕切体として、縦仕切板及び横仕切板の一方には上端縁からから下方に延びる切込みを所定間隔ごとに形成するとともに、縦仕切板及び横仕切板の他方には下端縁から上方に延びる切込みを所定間隔ごとに形成し、縦仕切板の切込みと横仕切板の切込みとを互いに噛み合わせることにより井桁状に組み合わせたものが一般的である（例えば、特許文献１の図８参照。）。
このような構成の仕切体では、その構成上、仕切体を箱体へ装入する際や仕切体を箱体から取り出す際に、仕切板が外れて脱落し、作業に支障が生じる場合がある。
このような仕切板の脱落を防止するための考案として、幅方向中央まで入れた切込みの奥端に繋がる角孔を形成するとともに、切込みを前記奥端から角孔の縦長さに等しい寸法だけ残して切込部とし、他の部分を仕切板の厚みより僅かに大なる寸法の幅の切り抜きとしてなる仕切板を縦仕切板及び横仕切板として用い、縦仕切板及び横仕切板の一方の角孔内に他方の切込部が入り込むようにして井桁状に組み合わせることにより、仕切板の脱落防止を図るとともに仕切体を折畳み可能としたものがある（例えば、特許文献２参照。）。
【０００３】
また、上縁に一定の間隔をあけて嵌め込み用のスリットを形成し、そのスリットの一方の縁の上端部に、他方の側縁よりも突出する係止爪片を形成し、下縁に切欠きを形成した仕切板と、この仕切板と同形状のスリット、係止爪片及び切欠きが上下を逆にして形成された仕切板とを、スリット同士を嵌め合わせることにより井桁状に組み合わせたものがあり（例えば、特許文献３の第４図参照。）、前記係止爪片を縦仕切板及び横仕切板の一方にのみ形成するとともに、その突出量をスリットの幅とほぼ同じにしたものがある（例えば、特許文献３の第１〜３図参照。）。
さらに、上端縁から下方に延びる上切欠部と下端縁から上方に延びる下切欠部とを所定間隔を隔てて交互に備えた縦仕切板及び横仕切板を、隣り合う縦仕切板の上下を反転させるとともに、隣り合う横仕切板の上下を反転させた状態で切欠部同士を係合させて井桁状に組み合わせたものがある（例えば、特許文献４参照。）。
【先行技術文献】
【特許文献】
【０００４】
【特許文献１】特開２００２−２４９１３９号公報
【特許文献２】実開昭５６−１７５３３２号公報
【特許文献３】実開平０１−０８８８１９号公報
【特許文献４】実用新案登録第２５４５３３４号公報
【考案の概要】
【考案が解決しようとする課題】
【０００５】
箱体へ装入する際や箱体から取り出す際に仕切板の脱落を防止することができる仕切体として、特許文献２の構成では、縦横の仕切板における各々の角孔の一辺の中央に繋がる切込部同士が対向していることから、これらの切込部を通して縦横の仕切板が相対的にずれることがあるため、仕切板の脱落防止効果が十分でない場合があり、特に仕切板の板厚が薄い場合には仕切板が脱落しやすい。
その上、縦横の仕切板の両方に、切込みを幅方向中央まで入れてその奥端に繋がる角孔を形成し、切込みを前記奥端から角孔の縦長さに等しい寸法だけ残して切込部としていることから、仕切板に形成される角孔及び切込部の縦長さが変動したり、これらの位置がずれた場合には、縦仕切板及び横仕切板の一方の角孔内に他方の切込部が入り込むように組み合わせることができないことがあり、その際には、仕切板の脱落防止効果が低下するとともに、折り畳みしにくくなる。
【０００６】
また、特許文献３の第４図の構成では、縦横の仕切板の両方に、これらのスリットの一方の縁の上端部に、他方の側縁よりも突出する係止爪片が形成されており、スリット同士を嵌め合わせることにより井桁状に組み合わせて仕切体を形成する際に係止爪片同士がぶつかるため、仕切体を形成する作業がしにくいものである。
さらに、特許文献３の第１〜３図の構成では、係止爪片を縦仕切板及び横仕切板の一方にのみ形成するとともに、その突出量をスリットの幅とほぼ同じにしていることから、縦横の仕切板を井桁状に組み合わせて仕切体を形成する作業がしやすくなる反面、特許文献３の第４図の構成と比較して仕切板の脱落防止効果が劣っており、仕切板の脱落防止効果が十分でない場合がある。
さらにまた、特許文献４の構成では、縦横の仕切板の両方に上端縁から下方に延びる上切欠部及び下端縁から上方に延びる下切欠部が形成されており、隣り合う縦仕切板の上下を反転させるとともに、隣り合う横仕切板の上下を反転させた状態で切欠部同士を係合させて井桁状に組み合わせて仕切体を構成するため、仕切板の脱落防止効果が高い反面、縦横の仕切板を井桁状に組み合わせて仕切体を形成する作業がしにくいものである。
以上のとおりであり、仕切体を箱体へ装入する際や箱体から取り出す際に仕切板の脱落を防止するための従来の考案には改良の余地がある。
【０００７】
そこで本考案が前述の状況に鑑み、解決しようとするところは、縦横の仕切板を井桁状に組み合わせる作業がしやすく、折り畳むことができる構成でありながら、仕切板の脱落防止効果が高い仕切体を提供する点にある。
【課題を解決するための手段】
【０００８】
本考案に係る仕切体は、前記課題解決のために、輸送や収納に使用される箱体の内部を収容品ごとに仕切るために縦仕切板及び横仕切板を井桁状に組み合わせて構成される仕切体であって、前記縦仕切板及び横仕切板の一方に、短手方向一端縁から他端縁に向かって延びる、前記縦仕切板及び横仕切板の他方の板厚よりも長手方向の間隔が広い第１切抜き部と、該第１切抜き部の短手方向他端縁側に繋がってさらに短手方向他端縁に向かって第１長さだけ延びる切込み部と、該切込み部に繋がり、前記切込み部の短手方向他端縁側から長手方向へ離間するにしたがって短手方向一端縁側へ傾斜する一対の斜辺及びこれら斜辺に繋がって前記切込み部の短手方向他端縁側よりもさらに短手方向他端縁に向かって延びて繋がる連結辺により囲まれた、前記切込み部の短手方向他端縁側から第２長さだけ短手方向他端縁に向かって長く、前記縦仕切板及び横仕切板の他方の板厚よりも長手方向の間隔が広い抜止め孔からなる第１連結部を長手方向に所定等間隔ごとに並設し、前記縦仕切板及び横仕切板の他方に、短手方向一端縁から他端縁に向かって延びる、前記縦仕切板及び横仕切板の一方の板厚よりも長手方向の間隔が広い第２切抜き部と、該第２切抜き部の短手方向他端縁側から前記第２長さよりも小さい距離だけ短手方向他端縁に向かって離間した位置からさらに短手方向他端縁に向かって延び、前記第１長さよりも短手方向長さが長く、前記縦仕切板及び横仕切板の一方の板厚よりも長手方向の間隔が広い抜き孔からなる第２連結部を長手方向に所定等間隔ごとに並設してなり、前記縦仕切板及び横仕切板を井桁状に組み合わせると、前記縦仕切板及び横仕切板の一方の前記抜止め孔に前記縦仕切板及び横仕切板の他方の前記第２切抜き部と前記抜き孔との間の部分が入り、前記縦仕切板及び横仕切板の一方の前記切込み部が前記縦仕切板及び横仕切板の他方の前記抜き孔に入った状態となって、前記第１連結部及び第２連結部がそれぞれ連結されることを特徴とする。
【０００９】
また、本考案に係る仕切体は、前記課題解決のために、輸送や収納に使用される箱体の内部を収容品ごとに仕切るために縦仕切板及び横仕切板を井桁状に組み合わせて構成される仕切体であって、前記縦仕切板及び横仕切板の一方に、短手方向一端縁から他端縁に向かって延びる、前記縦仕切板及び横仕切板の他方の板厚よりも長手方向の間隔が広い第１切抜き部と、該第１切抜き部の短手方向他端縁側から第１長さだけ短手方向他端縁に向かって離間した位置から長手方向へ離間するにしたがって短手方向一端縁側へ傾斜する一対の斜辺及びこれら斜辺に繋がって前記離間した位置よりもさらに短手方向他端縁に向かって延びて繋がる連結辺により囲まれた、前記離間した位置から第２長さだけ短手方向他端縁に向かって長く、前記縦仕切板及び横仕切板の他方の板厚よりも長手方向の間隔が広い抜止め孔からなる第１連結部を長手方向に所定等間隔ごとに並設し、前記縦仕切板及び横仕切板の他方に、短手方向一端縁から他端縁に向かって延びる、前記縦仕切板及び横仕切板の一方の板厚よりも長手方向の間隔が広い第２切抜き部と、該第２切抜き部の短手方向他端縁側に繋がってさらに短手方向他端縁に向かって前記第２長さよりも小さい距離だけ延びる切込み部と、該切込み部に繋がり、前記切込み部の短手方向他端縁側からからさらに短手方向他端縁に向かって延び、前記第１長さよりも短手方向長さが長く、前記縦仕切板及び横仕切板の一方の板厚よりも長手方向の間隔が広い抜き孔からなる第２連結部を長手方向に所定等間隔ごとに並設してなり、前記縦仕切板及び横仕切板を井桁状に組み合わせると、前記縦仕切板及び横仕切板の一方の前記抜止め孔に前記縦仕切板及び横仕切板の他方の前記切込み部が入り、前記縦仕切板及び横仕切板の一方の前記第１切抜き部と前記抜止め孔との間の部分が前記縦仕切板及び横仕切板の他方の前記抜き孔に入った状態となって、前記第１連結部及び第２連結部がそれぞれ連結されることを特徴とする。
【００１０】
これらのような構成によれば、縦仕切板及び横仕切板の長手方向に並設される連結部（第１連結部及び第２連結部）が短手方向一端縁から形成されているため、特許文献４のような連結部を短手方向両端縁に交互に形成する構成と比較して縦横の仕切板を井桁状に組み合わせて仕切体を形成する作業がしやすく、連結部に特許文献３のように係止爪片を形成しないため、特許文献３のような構成と比較して縦横の仕切板を井桁状に組み合わせて仕切体を形成する作業がしやすい。
その上、第１連結部及び第２連結部がそれぞれ連結された状態では、縦仕切板及び横仕切板の一方の抜止め孔に縦仕切板及び横仕切板の他方の第２切抜き部と抜き孔との間の部分又は切込み部が入っており、前記部分又は切込み部が抜止め孔から抜ける方向へ移動しようとしても、抜止め孔の短手方向一端縁側（一対の斜辺）の形状が長手方向へ離間するにしたがって短手方向一端縁側へ傾斜しているため、仕切板の脱落防止効果が高くなる。
その上さらに、縦仕切板及び横仕切板の一方に形成される第１切抜き部及び抜止め孔の長手方向の間隔が縦仕切板及び横仕切板の他方の板厚よりも広く、縦仕切板及び横仕切板の他方に形成される第２切抜き部及び抜き孔の長手方向の間隔が縦仕切板及び横仕切板の一方の板厚よりも広いことから、折り畳むことが容易であるため、仕切体の保管や輸送の際におけるスペース効率が高くなる。
【００１１】
さらに、本考案に係る仕切体は、前記課題解決のために、輸送や収納に使用される箱体の内部を収容品ごとに仕切るために縦仕切板及び横仕切板を井桁状に組み合わせて構成される仕切体であって、前記縦仕切板及び横仕切板に、短手方向一端縁から他端縁に向かって延びる、前記縦仕切板及び横仕切板の板厚よりも長手方向の間隔が広い切抜き部と、該切抜き部の短手方向他端縁側に繋がってさらに短手方向他端縁に向かって延びる切込み部と、該切込み部に繋がり、前記切込み部の短手方向他端縁側から長手方向へ離間するにしたがって短手方向一端縁側へ傾斜する一対の斜辺及びこれら斜辺に繋がって前記切込み部の短手方向他端縁側よりもさらに短手方向他端縁に向かって延びて繋がる連結辺により囲まれた、前記切込み部の短手方向他端縁側から短手方向他端縁に向かう長さが前記切込み部の長さよりも長く、前記縦仕切板及び横仕切板の板厚よりも長手方向の間隔が広い抜止め孔からなる連結部を長手方向に所定等間隔ごとに並設してなり、前記縦仕切板及び横仕切板を井桁状に組み合わせると、前記縦仕切板の前記抜止め孔に前記横仕切板の前記切込み部が入るとともに、前記横仕切板の前記抜止め孔に前記縦仕切板の前記切込み部が入った状態となって、前記縦仕切板の前記連結部及び前記横仕切板の前記連結部がそれぞれ連結されることを特徴とする。
【００１２】
このような構成によれば、縦仕切板及び横仕切板の長手方向に並設される連結部が短手方向一端縁から形成されているため、特許文献４のような連結部を短手方向両端縁に交互に形成する構成と比較して縦横の仕切板を井桁状に組み合わせて仕切体を形成する作業がしやすく、連結部に特許文献３のように係止爪片を形成しないため、特許文献３のような構成と比較して縦横の仕切板を井桁状に組み合わせて仕切体を形成する作業がしやすい。
その上、縦仕切板の連結部及び横仕切板の連結部がそれぞれ連結された状態では、縦仕切板の抜止め孔に横仕切板の切込み部が入るとともに、横仕切板の抜止め孔に縦仕切板の切込み部が入っており、切込み部が抜止め孔から抜ける方向へ移動しようとしても、抜止め孔の短手方向一端縁側（一対の斜辺）の形状が切込み部の短手方向他端縁側から長手方向へ離間するにしたがって短手方向一端縁側へ傾斜しているため、仕切板の脱落防止効果が高くなる。
その上さらに、縦仕切板及び横仕切板に形成される切抜き部及び抜止め孔の長手方向の間隔が縦仕切板及び横仕切板の板厚よりも広いことから、折り畳むことが容易であるため、仕切体の保管や輸送の際におけるスペース効率が高くなる。
【００１３】
ここで、前記切込み部を波形にすることにより、特に縦仕切板及び横仕切板の板厚が薄い場合においても、仕切板の脱落防止効果が高くなる。
【考案の効果】
【００１４】
以上のように、本考案に係る仕切体によれば、縦横の仕切板を井桁状に組み合わせて仕切体を形成する作業がしやすく、仕切体を折り畳むことができる構成でありながら、抜止め孔の短手方向一端縁側（一対の斜辺）の形状が切込み部の短手方向他端縁側から長手方向へ離間するにしたがって短手方向一端縁側へ傾斜しているため、仕切板の抜け止め効果が高くなるという顕著な効果を奏する。
【図面の簡単な説明】
【００１５】
【図１】（ａ）は本考案の実施の形態に係る縦仕切板及び横仕切板の一方を示す正面図、（ｂ）は本考案の実施の形態に係る縦仕切板及び横仕切板の他方を示す正面図である。
【図２】（ａ）は縦仕切板及び横仕切板の一方の要部を拡大して示す正面図、（ｂ）は縦仕切板及び横仕切板の他方の要部を拡大して示す正面図である。
【図３】縦仕切板及び横仕切板の一方の第１連結部と他方の第２連結部とを連結してこれらを井桁状に組み合わせて仕切体を構成する作業を説明するための、仕切体の分解斜視図である。
【図４】縦仕切板及び横仕切板の一方の第１連結部と他方の第２連結部とを連結した状態における抜止め孔等の機能を説明するための、要部を拡大して示す縦断正面図である。
【図５】仕切体を箱体に入れる作業を示す斜視図である。
【図６】仕切体を折り畳んだ状態を示す平面図である。
【図７】抜止め孔の形態の変形例を、その要部を拡大して示す正面図であり、（ａ）は一対の斜辺及び連結辺が曲線であり略ハート状である抜止め孔を、（ｂ）は一対の斜辺及び連結辺が直線である抜止め孔を示している。
【図８】切込み部を波形に形成した例を、その要部を拡大して示す正面図である。
【図９】組み合わせる連結部同士を同様の形態にした例を、それらの要部を拡大して示す正面図であり、（ａ）は縦仕切板及び横仕切板の一方を、（ｂ）は縦仕切板及び横仕切板の他方を示している。
【考案を実施するための形態】
【００１６】
次に本考案の実施の形態を添付図面に基づき詳細に説明するが、本考案は、添付図面に示された形態に限定されず実用新案登録請求の範囲に記載の要件を満たす実施形態の全てを含むものである。
以下において、「縦仕切板及び横仕切板の一方」を単に「一方の仕切板」と言い、「縦仕切板及び横仕切板の他方」を単に「他方の仕切板」という。
また、一方の仕切板及び他方の仕切板において、これらの外形は略矩形状であり、その長辺に沿う長さ方向を長手方向、短辺に沿う長さ方向（幅方向）を短手方向という。
【００１７】
図１（ａ）及び図２（ａ）の正面図に示すように、本発明の実施の形態に係る仕切体を形成する一方の仕切板１は、短手方向一端縁Ｓ１から他端縁Ｓ２に向かって延びる、他方の仕切板２の板厚Ｔ２（図３参照。）よりも長手方向の間隔Ｄ１が広い第１切抜き部３と、第１切抜き部３の短手方向他端縁Ｓ２側に繋がってさらに短手方向他端縁Ｓ２に向かって第１長さＬ１だけ延びる切込み部４と、切込み部４に繋がり、切込み部４の短手方向他端縁Ｓ２側から長手方向へ離間するにしたがって短手方向一端縁Ｓ１側へ傾斜する一対の斜辺５Ａ，５Ａ及びこれら斜辺５Ａ，５Ａに繋がって切込み部４の短手方向他端縁Ｓ２側よりもさらに短手方向他端縁Ｓ２に向かって延びて繋がる連結辺５Ｂ，５Ｂにより囲まれた、切込み部４の短手方向他端縁Ｓ２側から第２長さＬ２だけ短手方向他端縁Ｓ２に向かって長く、他方の仕切板２の板厚Ｔ２（図３参照。）よりも長手方向の間隔Ｄ２が広い抜止め孔５からなる第１連結部１Ａを長手方向に所定等間隔ごとに並設したものであり、例えば段ボールシートにより製作される。
【００１８】
図１（ｂ）及び図２（ｂ）の正面図に示すように、本発明の実施の形態に係る仕切体を形成する他方の仕切板２は、短手方向一端縁Ｓ１から他端縁Ｓ２に向かって延びる、一方の仕切板１の板厚Ｔ１（図３参照。）よりも長手方向の間隔Ｄ３が広い第２切抜き部６と、第２切抜き部６の短手方向他端縁Ｓ２側から第２長さＬ２（図２（ａ）参照。）よりも小さい距離Ｌ４だけ短手方向他端縁Ｓ２に向かって離間した位置からさらに短手方向他端縁Ｓ２に向かって延び、第１長さＬ１（図２（ａ）参照。）よりも短手方向長さＬ３が長く、一方の仕切板１の板厚Ｔ１（図３参照。）よりも長手方向の間隔Ｄ４が広い抜き孔７からなる第２連結部２Ａを長手方向に所定等間隔ごとに並設したものであり、例えば段ボールシートにより製作される。
【００１９】
図３の分解斜視図に示すように、第１連結部１Ａの第１切抜き部３と第２連結部２Ａの第２切抜き部６とを対向させて近づけるように、一方の仕切板１，１，…と他方の仕切板２，２，…とを井桁状に組み合わせると、図４の縦断正面図に示すように一方の仕切板１の抜止め孔５に他方の仕切板２の第２切抜き部６と抜き孔７との間の部分８（図２（ｂ）も参照。）が入り、一方の仕切板１の切込み部４が他方の仕切板２の抜き孔７に入った状態となって、第１連結部１Ａ及び第２連結部２Ａがそれぞれ連結された図５の斜視図に示す仕切体Ａとなる。
【００２０】
ここで、図２に示すように、一方の仕切板１の第１切抜き部３及び他方の仕切板２の第２切抜き部６の短手方向一端縁Ｓ１側部分には、短手方向一端縁Ｓ１に近づくほど広くなるように傾斜する第１ガイド斜辺Ｃ１，Ｃ１が形成され、一方の仕切板１の第１切抜き部３及び他方の仕切板２の第２切抜き部６の短手方向他端縁Ｓ２側部分には、短手方向他端縁Ｓ２に近づくほど狭くなるように傾斜する第２ガイド斜辺Ｃ２，Ｃ２が形成されているため、第１連結部１Ａと第２連結部２Ａとの連結の容易化を図ることができる。
このように一方の仕切板１，１，…と他方の仕切板２，２，…とを井桁状に組み合わせてなる井桁状の仕切体Ａは、図５に示すように、輸送や収納に使用される箱体Ｂの内部を収容品ごとに仕切るために、箱体Ｂ内へ装入して使用される。
【００２１】
以上のような仕切体Ａの構成によれば、図３に示すように一方の仕切板１に並設される第１連結部１Ａ，１Ａ，…及び他方の仕切板２に並設される第２連結部２Ａ，２Ａ，…が短手方向一端縁Ｓ１から形成されているため、特許文献４のような連結部を短手方向両端縁に交互に形成する構成と比較して、縦横の仕切板１，１，…及び２，２，…を井桁状に組み合わせて仕切体Ａを形成する作業がしやすく、第１連結部１Ａ，１Ａ，…及び第２連結部２Ａ，２Ａ，…に特許文献３のように係止爪片を形成しないため、特許文献３のような構成と比較して縦横の仕切板１，１，…及び２，２，…を井桁状に組み合わせて仕切体Ａを形成する作業がしやすい。
【００２２】
また、図５のように第１連結部１Ａ，１Ａ，…及び第２連結部２Ａ，２Ａ，…がそれぞれ連結された状態では、上述のとおり、図４のように一方の仕切板１の抜止め孔５に他方の仕切板２の第２切抜き部６と抜き孔７との間の部分８が入っており、部分８が抜止め孔５から抜ける方向へ移動しようとしても、抜止め孔５の短手方向一端縁Ｓ１側（一対の斜辺５Ａ，５Ａ）の形状が切込み部４の短手方向他端縁Ｓ２（図２（ａ）参照。）側から長手方向へ離間するにしたがって短手方向一端縁Ｓ１側へ傾斜していることから、切込み部４の短手方向他端縁Ｓ２側が抜止め孔５内の部分８に向かって例えば山形（Ｌ字状）に突出しており、部分８が切込み部４に非常に入りにくくなっているため、仕切板１，２の脱落防止効果が高くなる。
【００２３】
さらに、上述のとおり、一方の仕切板１に形成される第１切抜き部３の長手方向の間隔Ｄ１及び抜止め孔５の長手方向の間隔Ｄ２が他方の仕切板２の板厚Ｔ２よりも広く、他方の仕切板２に形成される第２切抜き部６の長手方向の間隔Ｄ３及び切抜き部７の長手方向の間隔Ｄ４が一方の仕切板１の板厚Ｔ１よりも広いことから、図６の平面図に示すように、仕切体Ａを折り畳むことが容易であるため、仕切体Ａの保管や輸送の際におけるスペース効率が高くなる。
【００２４】
ここで、抜止め孔５は、図１〜図４のような形態に限定されるものではなく、図７（ａ）の要部拡大正面図のような一対の斜辺５Ａ，５Ａ及び連結辺５Ｂ，５Ｂを曲線とした略ハート状の形態、図７（ｂ）の要部拡大正面図のような一対の斜辺５Ａ，５Ａ及び連結辺５Ｂ，５Ｂを直線とした形態等であってもよく、様々な形態とすることができる。
ただし、抜止め孔５の一対の斜辺５Ａ，５Ａは、上述のように抜け止め効果を高める作用を持たせるために、切込み部４の短手方向他端縁Ｓ２側から長手方向へ離間するにしたがって短手方向一端縁Ｓ１側へ傾斜するように形成する必要がある。
【００２５】
仕切体Ａを構成する一方の仕切板１及び他方の仕切板２は、上述のとおり例えば段ボールシートで製作されるが、例えばＥフルート（シートの厚さ：約１．８ｍｍ）程度以下に薄い段ボールシートで製作した場合や、チップボール又はクラフトボール等の板紙で製作した場合にように板厚が薄い場合には、仕切板１，２の脱落防止効果が十分でなくなることがある。
このような場合においては、図８に示すように、仕切板１の第１連結部１Ａを構成する切込み部４を波形に形成することにより、特に仕切板１，２の板厚が薄い場合においても、仕切板１，２の脱落防止効果を高くすることが可能になる。
【００２６】
以上の説明においては、一方の仕切板１の第１連結部１Ａを、第１切抜き部３、切込み部４及び抜止め孔５により構成し、他方の仕切板２の第２連結部２Ａを、第２切抜き部６及び抜き孔７により構成する例を示したが、第１連結部１Ａの切込み部４を無くして、第２連結部２Ａの第２切抜き部６と抜き孔７との間（図２（ｂ）の第２切抜き部と抜き孔との間の部分８の箇所）に切込み部を形成してもよい。
すなわち、この場合における一方の仕切板１は、短手方向一端縁Ｓ１から他端縁Ｓ２に向かって延びる、他方の仕切板２の板厚Ｔ２よりも長手方向の間隔Ｄ１が広い第１切抜き部３と、第１切抜き部３の短手方向他端縁Ｓ２側から第１長さＬ１だけ短手方向他端縁Ｄ２に向かって離間した位置から長手方向へ離間するにしたがって短手方向一端縁Ｓ１側へ傾斜する一対の斜辺５Ａ，５Ａ及びこれら斜辺５Ａ，５Ａに繋がって前記離間した位置よりもさらに短手方向他端縁Ｓ２に向かって延びて繋がる連結辺５Ｂ，５Ｂにより囲まれた、前記離間した位置から第２長さＬ２だけ短手方向他端縁Ｓ２に向かって長く、他方の仕切板２の板厚Ｔ２よりも長手方向の間隔Ｄ２が広い抜止め孔５からなる第１連結部１Ａを長手方向に所定等間隔ごとに並設したものとなる。
【００２７】
また、この場合における他方の仕切板２は、短手方向一端縁Ｓ１から他端縁Ｓ２に向かって延びる、一方の仕切板１の板厚Ｔ１よりも長手方向の間隔Ｄ３が広い第２切抜き部６と、第２切抜き部６の短手方向他端縁Ｓ２側に繋がってさらに短手方向他端縁Ｓ２に向かって第２長さＬ２よりも小さい距離Ｌ４だけ延びる切込み部と、該切込み部に繋がり、前記切込み部の短手方向他端縁Ｓ２側からからさらに短手方向他端縁Ｓ２に向かって延び、第１長さＬ１よりも短手方向長さＬ３が長く、一方の仕切板１の板厚Ｔ１よりも長手方向の間隔Ｄ４が広い抜き孔７からなる第２連結部２Ａを長手方向に所定等間隔ごとに並設したものとなる。
そして、一方の仕切板１及び他方の仕切板２を井桁状に組み合わせると、一方の仕切板１の抜止め孔５に他方の仕切板２の切込み部が入り、一方の仕切板１の第１切抜き部３と抜止め孔５との間の部分が他方の仕切板２抜き孔７に入った状態となって、第１連結部１Ａ及び第２連結部２Ａがそれぞれ連結される。
【００２８】
なお、以上の説明における抜き孔７の形状を抜止め孔５と同様の形状にしてもよく、図９に示すように仕切板１，２の連結部１Ａ，２Ａを同様の形態として、これら連結部１Ａ，２Ａの両方に、一対の斜辺５Ａ，５Ａを有する抜止め孔５を形成してもよい。
すなわち、図９の構成では、仕切板１，２に、短手方向一端縁Ｓ１から他端縁Ｓ２に向かって延びる、仕切板１，２の板厚よりも長手方向の間隔Ｄ１が広い切抜き部３と、切抜き部３の短手方向他端縁Ｓ２側に繋がってさらに短手方向他端縁Ｓ２に向かって延びる切込み部４と、切込み部４に繋がり、切込み部４の短手方向他端縁Ｓ２側から長手方向へ離間するにしたがって短手方向一端縁Ｓ１側へ傾斜する一対の斜辺５Ａ，５Ａ及びこれら斜辺５Ａ，５Ａに繋がって切込み部４の短手方向他端縁Ｓ２側よりもさらに短手方向他端縁Ｓ２に向かって延びて繋がる連結辺５Ｂ，５Ｂにより囲まれた、切込み部４の短手方向他端縁Ｓ２側から短手方向他端縁Ｓ２に向かう長さＬ２が切込み部４の長さＬ１よりも長く、仕切板１，２の板厚よりも長手方向の間隔Ｄ２が広い抜止め孔５からなる連結部１Ａ，２Ａを長手方向に所定等間隔ごとに並設している。
そして、図９の仕切板１，２を井桁状に組み合わせると、仕切板１の抜止め孔５に仕切板２の切込み部４が入るとともに、仕切板２の抜止め孔５に仕切板１の切込み部４が入った状態となって、仕切板１の連結部１Ａ及び仕切板２の連結部２Ａがそれぞれ連結される。
なお、図９の構成において、連結部１Ａ，２Ａの切込み部４，４の一方を無くしてもよい。
【符号の説明】
【００２９】
Ａ  仕切体
Ｂ  箱体
Ｃ１  第１ガイド斜辺
Ｃ２  第２ガイド斜辺
Ｄ１，Ｄ２，Ｄ３，Ｄ４  長手方向の間隔
Ｌ１  第１長さ
Ｌ２  第２長さ
Ｌ３，Ｌ４  短手方向長さ
Ｓ１  短手方向一端縁
Ｓ２  短手方向他端縁
Ｔ１  縦仕切板及び横仕切板の一方の板厚（一方の仕切板の板厚）
Ｔ２  縦仕切板及び横仕切板の他方の板厚（他方の仕切板の板厚）
１  縦仕切板及び横仕切板の一方（一方の仕切板）
１Ａ  第１連結部
２  縦仕切板及び横仕切板の他方（他方の仕切板）
２Ａ  第２連結部
３  第１切抜き部
４  切込み部
５  抜止め孔
５Ａ  斜辺
５Ｂ  連結辺
６  第２切抜き部
７  抜き孔
８  第２切抜き部と抜き孔との間の部分
【図１】
0003171393.tif 000003
【図２】
0003171393.tif 000004
【図３】
0003171393.tif 000005
【図４】
0003171393.tif 000006
【図５】
0003171393.tif 000007
【図６】
0003171393.tif 000008
【図７】
0003171393.tif 000009
【図８】
0003171393.tif 000010
【図９】
0003171393.tif 000011